(57)【特許請求の範囲】
【請求項１】
ファーストフード等の適宜食品を収容できるようなポケット部分を有する食品収容袋であって、背面シートと、この背面シートに重ねられる正面シートとからなり、これらの背面シートと正面シートは、その底部を挟んで隣設する右斜下辺及び左斜下辺部分が糊付部を介して接着され、正面シートは、ポケット部分の正面がわに配されるポケット構成片と、接着補強片とに適宜形状の切離線を介して分離できるように形成され、前記接着補強片は、糊付部を介して背面シートに接着されるよう構成し、正面シートの接着補強片に適宜切抜囲繞線を設け、この切抜囲繞線にて囲繞された部分を取り除いて、接着補強片に切抜部を設けたことを特徴とする食品収容袋。
【請求項２】
ファーストフード等の適宜食品を収容できるようなポケット部分を有する食品収容袋であって、略矩形シート状の背面シートと、この背面シートに重ねられる略矩形シート状の正面シートとからなり、これらの背面シートと正面シートは、その底部を挟んで隣設する右斜下辺及び左斜下辺部分が糊付部を介して接着され、正面シートには、右突出側部と左斜上辺部分を適宜形状の線で結ぶような切離線が設けられて、ポケット部分の正面がわに配されるポケット構成片と、接着補強片とに正面シートを分離できるよう形成し、前記接着補強片は、糊付部を介して背面シートの頂部がわに接着されるよう構成したことを特徴とする食品収容袋。
【請求項３】
正面シートの接着補強片に適宜切抜囲繞線を設け、この切抜囲繞線にて囲繞された部分を取り除いて、接着補強片に切抜部を設けたことを特徴とする請求項２記載の食品収容袋。
【発明の詳細な説明】
【０００１】
【発明の属する技術分野】
本発明は、例えば、ファーストフード店や、コンビニや、屋台や、その他の店で販売されているようなドーナツ類や、バーガー類や、揚げ物、焼き物、惣菜、その他、適宜食品を、収容でき、しかも、これら適宜食品に触れることなく手指で持ちながら、適宜食品を食べられるようにした食品収容袋に係り、特に、ポケット部分の開口部を開き易く、適宜食品を収容し易く、より取扱い易くなるよう工夫した食品収容袋に関するものである。
【０００２】
【従来の技術】
従来の食品収容袋にあっては、種々のものが提供されており、例えば、矩形状の二枚のシート材を重ねると共に、これらの隣設する二辺部分を接着して、残りの二辺部分が開口部となるように構成されたものがある。
【０００３】
【発明が解決しようとする課題】
しかしながら、前述の如き食品収容袋にあっては、開口部となる残りの二辺部分が重なるように構成してあること、重ねられている二枚のシート材夫々が共に薄く形成されていること、二枚のシート材夫々の剛性等が同じであること等によって、残りの二辺部分にある開口部を開くようにする操作がし難く、食品を収容し難く、取扱い難いものとなっていた。しかも、外観上の体裁も良いとは言えず、興趣に乏しい等の問題点等もあった。
【０００４】
そこで、本発明は、前述の如き難点等の解消を図れるようにするのは勿論のこと、ポケット部分の開口部が開き易くなり、食品が収容し易くなり、取扱い易くて、使い勝手に優れたものとなり、更に、外観上の体裁が良く、興趣に富み、手指で持ち易く、食品が食べ易く、しかも、構成簡素で、製造が容易で、量産に適し、低廉で、経済的な食品収容袋を提供すべく創出されたものである。
【０００５】
【課題を解決するための手段】
しかして、請求項１記載の食品収容袋にあっては、ファーストフード等の適宜食品を収容できるようなポケット部分を有する食品収容袋であって、背面シートＡと、この背面シートＡに重ねられる正面シートＢとからなり、これらの背面シートＡと正面シートＢは、その底部２を挟んで隣設する右斜下辺７及び左斜下辺８部分が糊付部９を介して接着され、正面シートＢは、ポケット部分の正面がわに配されるポケット構成片Ｂ１と、接着補強片Ｂ２とに適宜形状の切離線１０を介して分離できるように形成され、前記接着補強片Ｂ２は、糊付部９を介して背面シートＡに接着されるよう構成し、正面シートＢの接着補強片Ｂ２に適宜切抜囲繞線１１を設け、この切抜囲繞線１１にて囲繞された部分を取り除いて、接着補強片Ｂ２に切抜部１２を設ける手段を採用した。
【０００６】
また、請求項２記載の食品収容袋にあっては、ファーストフード等の適宜食品を収容できるようなポケット部分を有する食品収容袋であって、略矩形シート状の背面シートＡと、この背面シートＡに重ねられる略矩形シート状の正面シートＢとからなり、これらの背面シートＡと正面シートＢは、その底部２を挟んで隣設する右斜下辺７及び左斜下辺８部分が糊付部９を介して接着され、正面シートＢには、右突出側部３と左斜上辺６部分を適宜形状の線で結ぶような切離線１０が設けられて、ポケット部分の正面がわに配されるポケット構成片Ｂ１と、接着補強片Ｂ２とに正面シートＢを分離できるよう形成し、前記接着補強片Ｂ２は、糊付部９を介して背面シートＡの頂部１がわに接着されるよう構成する手段を採用した。
【０００７】
更に、請求項３記載の食品収容袋にあっては、正面シートＢの接着補強片Ｂ２に適宜切抜囲繞線１１を設け、この切抜囲繞線１１にて囲繞された部分を取り除いて、接着補強片Ｂ２に切抜部１２を設ける手段を採用した。
【０００８】
【発明の実施の形態】
以下、本発明を図示例に基づいて説明すると、次の通りである。
本発明の食品収容袋は、例えば、ファーストフード店や、コンビニや、屋台や、その他の店で販売されているようなドーナツ類や、バーガー類や、揚げ物、焼き物、惣菜、その他、適宜食品を、ポケット部分に収容できるようにしたもので、しかも、これら適宜食品に触れることなく手指で持ちながら、適宜食品を食べられるようにしたものである。
【０００９】
そして、食品収容袋は、頂部１、底部２、右突出側部３、及び左突出側部４の四隅部分を、右斜上辺５、左斜上辺６、右斜下辺７、左斜下辺８で結ぶような略矩形シート状の背面シートＡと、同じく頂部１、底部２、右突出側部３、及び左突出側部４の四隅部分を、右斜上辺５、左斜上辺６、右斜下辺７、左斜下辺８で結ぶような略矩形シート状の正面シートＢとからなり、これらの背面シートＡと正面シートＢとを重ねると共に、これらの底部２を挟んで隣設する右斜下辺７及び左斜下辺８部分を糊付部９を介して接着してある。
【００１０】
更に、正面シートＢには、右突出側部３と、左斜上辺６の略中央部分を適宜形状の切離線１０で結ぶように設けられており、この切離線１０によって、ポケット部分の正面がわに配されるポケット構成片Ｂ１と、接着補強片Ｂ２とに、正面シートＢを略上下に分離できるよう形成されている。しかも、前記接着補強片Ｂ２は、糊付部９を介して背面シートＡの頂部１がわに配されると共に、右斜上辺５部分と、左斜上辺６部分の略上半分と、接着補強片Ｂ２の切離線１０部分とが（接着補強片Ｂ２の外周縁部分が）、糊付部９を介して背面シートＡに接着されるよう構成してある（図１、図２、図３参照）。
【００１１】
すなわち、背面シートＡの頂部１寄り部分には接着補強片Ｂ２が接着され、この部分の強度、剛性が高くなるように形成してある。しかも、ポケット部分の開口部が手指によって開き易くなるように形成してあると共に、ポケット部に収容した食品が食べ易くなるように形成してある。
更に、切離線１０を適宜自由な形状として、外観上の体裁が良く、興趣に富んだ食品収容袋を作ることができるように形成してある。
加えて、接着補強片Ｂ２を背面シートＡに接着してあり、背面シートＡ、正面シートＢの構成材料に無駄が出ず、これらの構成材料から切取り屑が生じないように形成してある。
【００１２】
背面シートＡ及び正面シートＢは、耐油紙や、ラミネート紙、合成紙、その他の適宜材料によって形成され、食品の油分等を通さず、手指を汚さないようなものが好ましい。また、これらの形状は、矩形状以外のものでも良いし、その寸法も同じでなくても良い。尚、背面シートＡ及び正面シートＢを矩形状とし、同じ寸法としたときは、その製造がより容易となり、量産し易く、材料の無駄が生じ難いものとなる。ところで、背面シートＡの具体的形状、寸法、材質、正面シートＢの具体的形状、寸法、材質等は、図示例のものに限定されることなく、適宜自由に設定、変更できるものである。
【００１３】
そして、頂部１、底部２、右突出側部３、及び左突出側部４夫々の具体的配設位置や、右斜上辺５、左斜上辺６、右斜下辺７、及び左斜下辺８夫々の具体的形状や、寸法等は、図示例のものに限定されることなく、適宜自由に設定、変更できるものである。
【００１４】
また、糊付部９は、右斜下辺７と、左斜下辺８に沿って設けられた部分で、背面シートＡにポケット構成片Ｂ１を接着し、右斜上辺５と、左斜上辺６の上半分と、接着補強片Ｂ２の切離線１０に沿って設けられた部分とで（接着補強片Ｂ２の外周縁に沿って設けられた部分）、背面シートＡに接着補強片Ｂ２を接着するように構成されている。尚、糊付部９の具体的形状や、寸法等は、図示例のものに限定されることなく、適宜自由に設定、変更できるものである。
【００１５】
切離線１０は、例えば、中央に上向き円弧状部分を設け、この円弧状部分の一端と右突出側部３とを直線で結び、円弧状部分の他端と左斜上辺６の略中央部分とを直線で結ぶような形状に形成されており、上向き円弧状部分を手指で摘み易くして、開口部が開き易くなるように形成してある。尚、切離線１０の具体的形状、寸法、配設位置等は、図示例のものに限定されることなく、適宜自由に設定、変更できるものである。
【００１６】
しかも、切離線１０によって分離されるポケット構成片Ｂ１と接着補強片Ｂ２の具体的形状、寸法、接着補強片Ｂ２の具体的形状、寸法等も、図示例のものに限定されることなく、適宜自由に設定、変更できるものである。加えて、ポケット構成片Ｂ１（及び接着補強片Ｂ２）の表面には、適宜印刷が施すことができ、外観上の体裁をより良くしたり、宣伝広告を設けたりすることもできる。
【００１７】
ところで、図４、図５に示すように、正面シートＢの接着補強片Ｂ２に適宜切抜囲繞線１１を設け、この切抜囲繞線１１にて囲繞された部分を取り除いて、接着補強片Ｂ２に切抜部１２を設けるように構成することもできる。すなわち、背面シートＡの接着補強片Ｂ２が接着された部分の強度、剛性を損なわれることがないように形成すると共に、外観上の体裁が更に良くなるように形成できる。このとき、背面シートＡと正面シートＢとを異なる色彩のもので構成することで、背面シートＡが切抜部１２部分を介して現出し、外観上の体裁が一層良くなるように形成することができる。しかも、切抜囲繞線１１（切抜部１２）は、図示例のように、接着補強片Ｂ２の外周縁に沿うような形状であっても良いし、適宜キャラクターや、動物や、草花や、その他の適宜形状に形成することができ、その数や、配設位置等も適宜自由に設定、変更できるものである。
【００１８】
【発明の効果】
従って、請求項１記載の食品収容袋は、ファーストフード等の適宜食品を収容できるようなポケット部分を有する食品収容袋であって、背面シートＡと、この背面シートＡに重ねられる正面シートＢとからなり、これらの背面シートＡと正面シートＢは、その底部２を挟んで隣設する右斜下辺７及び左斜下辺８部分が糊付部９を介して接着され、正面シートＢは、ポケット部分の正面がわに配されるポケット構成片Ｂ１と、接着補強片Ｂ２とに適宜形状の切離線１０を介して分離できるように形成され、前記接着補強片Ｂ２は、糊付部９を介して背面シートＡに接着されるよう構成したので、背面シートＡには接着補強片Ｂ２が接着され、この部分の強度、剛性が高くなると共に、ポケット部分の開口部が開き易いものとなる。しかして、食品を収容させ易くなり、取扱い易く、使い勝手に優れた食品収容袋となる。
更に、切離線１０を適宜形状とすることができ、外観上の体裁が良くなり、興趣に富んだ食品収容袋となる。
加えて、手指で持ち易く、収容した食品が食べ易く、構成材料の無駄がないと共に、材料の切取り屑が生ぜず、しかも、構成簡素で、製造が容易で、量産に適し、低廉で、経済的な食品収容袋となる。
そして、正面シートＢの接着補強片Ｂ２に適宜切抜囲繞線１１を設け、この切抜囲繞線１１にて囲繞された部分を取り除いて、接着補強片Ｂ２に切抜部１２を設けたので、背面シートＡの接着補強片Ｂ２が接着された部分の強度、剛性を損なうことなく、外観上の体裁をより良くすることができるようになる。しかして、背面シートＡと正面シートＢとを異なる色彩のもので構成した場合に、切抜部１２部分に背面シートＡが現出するようになり、外観上の体裁が一層良いものとなると共に、興趣に富むものとなる。
【００１９】
また、請求項２記載の食品収容袋は、ファーストフード等の適宜食品を収容できるようなポケット部分を有する食品収容袋であって、略矩形シート状の背面シートＡと、この背面シートＡに重ねられる略矩形シート状の正面シートＢとからなり、これらの背面シートＡと正面シートＢは、その底部２を挟んで隣設する右斜下辺７及び左斜下辺８部分が糊付部９を介して接着され、正面シートＢには、右突出側部３と左斜上辺６部分を適宜形状の線で結ぶような切離線１０が設けられて、ポケット部分の正面がわに配されるポケット構成片Ｂ１と、接着補強片Ｂ２とに正面シートＢを分離できるよう形成し、前記接着補強片Ｂ２は、糊付部９を介して背面シートＡの頂部１がわに接着されるよう構成したので、背面シートＡの頂部１がわには接着補強片Ｂ２が接着されて、この部分の強度、剛性が高くなると共に、ポケット部分の開口部が開き易いものとなる。しかして、食品を収容させ易くなり、取扱い易く、使い勝手に優れた食品収容袋となる。
更に、切離線１０を適宜形状とすることができ、外観上の体裁が良くなり、興趣に富んだ食品収容袋となる。
加えて、手指で持ち易く、収容した食品が食べ易く、構成材料の無駄がないと共に、材料の切取り屑が生ぜず、しかも、構成簡素で、製造が容易で、量産に適し、低廉で、経済的な食品収容袋となる。
【００２０】
更に、請求項３記載の食品収容袋は、正面シートＢの接着補強片Ｂ２に適宜切抜囲繞線１１を設け、この切抜囲繞線１１にて囲繞された部分を取り除いて、接着補強片Ｂ２に切抜部１２を設けたので、背面シートＡの接着補強片Ｂ２が接着された部分の強度、剛性を損なうことなく、外観上の体裁をより良くすることができるようになる。しかして、背面シートＡと正面シートＢとを異なる色彩のもので構成した場合に、切抜部１２部分に背面シートＡが現出するようになり、外観上の体裁が一層良いものとなると共に、興趣に富むものとなる。
【図面の簡単な説明】
【図１】  本発明の食品収容袋を例示する分解斜視図である。
【図２】  本発明の食品収容袋を例示する斜視図である。
【図３】  本発明の食品収容袋を例示する縦断面図である。
【図４】  本発明の他の食品収容袋を例示する分解斜視図である。
【図５】  本発明の他の食品収容袋を例示する斜視図である。
【符号の説明】
Ａ    背面シート          Ｂ    正面シート
Ｂ１  ポケット構成片      Ｂ２  接着補強片
１    頂部                ２    底部
３    右突出側部          ４    左突出側部
５    右斜上辺            ６    左斜上辺
７    右斜下辺            ８    左斜下辺
９    糊付部              １０  切離線
１１  切抜囲繞線          １２  切抜部
【図１】
0003852091.tif 000002
【図２】
0003852091.tif 000003
【図３】
0003852091.tif 000004
【図４】
0003852091.tif 000005
【図５】
0003852091.tif 000006